(57)【要約】【課題】誤ってメディアコンバータに接続された場合でも、信号衝突による伝送障害を防止することができるようにする。【解決手段】本発明は、入力された信号光を複数に分岐する光分岐部と、光分岐部からの第１の信号光を電気信号に変換する光／電気変換部と、光／電気変換部により変換された電気信号の信号強度値に基づいて、入力された信号光のＯＮ状態又はＯＦＦ状態を判定する状態判定部と、状態判定部により判定されたＯＦＦ状態を所定時間だけ引き延ばす状態引延し部と、状態引延し部からの状態信号に基づいて、上記光分岐部からの第２の信号光の透過又は遮断を行う光遮断部とを備えることを特徴とする光ケーブル接続器である。【選択図】      図１
2015177538.tif 000002
【特許請求の範囲】
【請求項１】
複数の光ケーブルのそれぞれと接続する複数の接続部を備える光ケーブル接続器において、
入力された信号光を複数に分岐する光分岐部と、
上記光分岐部からの第１の信号光を電気信号に変換する光／電気変換部と、
上記光／電気変換部により変換された電気信号の信号強度値に基づいて、入力された信号光のＯＮ状態又はＯＦＦ状態を判定する状態判定部と、
上記状態判定部により判定されたＯＦＦ状態を所定時間だけ引き延ばす状態引延し部と、
上記状態引延し部からの状態信号に基づいて、上記光分岐部からの第２の信号光の透過又は遮断を行う光遮断部と
を備えることを特徴とする光ケーブル接続器。
【請求項２】
上記状態引延し部が、バースト信号のバースト間隔の最大値以上、ＯＦＦ状態を引き延ばすものであることを特徴とする請求項１に記載の光ケーブル接続器。
【発明の詳細な説明】
【技術分野】
【０００１】
本発明は、光ケーブル接続器に関し、例えば、ＦＴＴＨ（Ｆｉｂｅｒ  Ｔｏ  Ｔｈｅ  Ｈｏｍｅ）等の光アクセスネットワークで使用される光ケーブル接続器に適用し得るものである。
【背景技術】
【０００２】
例えば、ＦＴＴＨ等の光アクセスネットワークにおける加入者宅の宅内光ケーブルの配線部材の１つとして光ローゼットが用いられている。図３は、宅内光ケーブルの配線構成を示す図である。
【０００３】
従来、通信会社等の通信事業者からの光ケーブル３は、加入者宅内に設けられている光ローゼット１まで引き込まれる。また、ＦＴＴＨサービスを受けるにあたり、加入者宅内に光加入者線終端装置２が設けられている。光加入者線終端装置２は、光コード４を介して光ローゼット１と接続される（特許文献１及び２参照）。光加入者線終端装置２と光コード４、光ローゼット１と光コード４は、光コネクタ４１で接続している。
【先行技術文献】
【特許文献】
【０００４】
【特許文献１】特開２００８−２３３４６６号公報
【特許文献２】特開２００８−２８７０８１号公報
【発明の概要】
【発明が解決しようとする課題】
【０００５】
光アクセスネットワークが、図２に示すＰＯＮ方式を採用するものである場合において、光加入者線終端装置としてのＯＮＵ（Ｏｐｔｉｃａｌ  Ｎｅｔｗｏｒｋ  Ｕｎｉｔ）２−１及び２−２から、局内光回線終端装置としてのＯＬＴ（Ｏｐｔｉｃａｌ Ｌｉｎｅ Ｔｅｒｍｉｎａｌ）６への上り方向は、フレーム送信時間を複数ユーザで分割して共有する多重化方式のＴＤＭＡ（時分割多元接続：Ｔｉｍｅ  Ｄｉｖｉｓｉｏｎ  Ｍｕｌｔｉｐｌｅ  Ａｃｃｅｓｓ）で行なわれている。
【０００６】
しかしながら、図２に示すように、光ローゼットは、ＯＮＵではなく、誤ってメディアコンバータ（ＭＣ：Ｍｅｄｉａ  Ｃｏｎｖｅｒｔｅｒ）５と接続されてしまうことがある。
【０００７】
従って、この場合、図２に示すように、メディアコンバータ５が送信する連続信号の送信光信号が、他加入者のＰＯＮ−ＯＮＵの送信光信号（バースト信号）と衝突して伝送障害を発生させるという問題点があった。
【０００８】
そのため、誤ってメディアコンバータに接続された場合でも、信号衝突による伝送障害を防止することができる光ケーブル接続器が求められている。
【課題を解決するための手段】
【０００９】
かかる課題を解決するために、本発明は、複数の光ケーブルのそれぞれと接続する複数の接続部を備える光ケーブル接続器において、（１）入力された信号光を複数に分岐する光分岐部と、（２）光分岐部からの第１の信号光を電気信号に変換する光／電気変換部と、（３）光／電気変換部により変換された電気信号の信号強度値に基づいて、入力された信号光のＯＮ状態又はＯＦＦ状態を判定する状態判定部と、（４）状態判定部により判定されたＯＦＦ状態を所定時間だけ引き延ばす状態引延し部と、（５）状態引延し部からの状態信号に基づいて、上記光分岐部からの第２の信号光の透過又は遮断を行う光遮断部とを備えることを特徴とする光ケーブル接続器である。
【発明の効果】
【００１０】
本発明によれば、誤ってメディアコンバータに接続された場合でも、信号衝突による伝送障害を防止することができる。
【図面の簡単な説明】
【００１１】
【図１】実施形態に係る光ローセットの内部構成を示す内部構成図である。
【図２】ＰＯＮ方式を採用した光アクセスネットワークの全体構成及び課題を説明する説明図である。
【図３】加入者宅内に配設される光ケーブルの配線構成を示す構成図である。
【図４】実施形態のＯＮ／ＯＦＦ判定回路部による光信号の状態を判定する方法を説明する説明図である。
【図５】実施形態のＯＦＦ状態引延し回路部によるＯＦＦ状態の引延しを説明する説明図である。
【発明を実施するための形態】
【００１２】
（Ａ）主たる実施形態
以下では、本発明の光ケーブル接続器の一実施形態を、図面を参照しながら詳細に説明する。
【００１３】
この実施形態は、例えば、ＰＯＮを採用した光アクセスネットワークにおいて加入者宅の光ケーブル配線部材の１つである光ローゼットに本発明を適用する場合を例示する。
【００１４】
（Ａ−１）実施形態の構成
この実施形態においても、ＰＯＮ方式を採用する光アクセスネットワークの全体的な構成は、図２に示す構成とすることができる。
【００１５】
すなわち、図２に示すように、ＰＯＮ方式の光アクセスネットワーク１０は、１台のＯＬＴ６と、複数（図２では２台）のＯＮＵ２−１〜２−２とを光ファイバ及び光カプラ７で接続している。
【００１６】
ＯＬＴ６とＯＮＵ２−１〜２−２との間で通信をする場合の動作は、例えばＩＥＥＥ８０２．３ａｈ、ＩＥＥＥ８０２．３ａｖ（米国電気電子学会）で標準化されている。
【００１７】
ＯＮＵ２−１〜２−２は、光加入者線終端装置であり、加入者宅内のネットワーク（例えばＬＡＮやケーブル等）を通じて加入者のネットワーク機器等と接続するものである。
【００１８】
ＯＬＴ６は、局内光回線終端装置であり、図示しないネットワークと接続するものである。ＯＬＴ６は、各ＯＮＵ２−１〜２−２に対して送信期間を設定し、各ＯＮＵ２−１〜２−２は、ＯＬＴ６から通知された送信期間に送信信号が乗せられた通信光を送出する。
【００１９】
ＯＬＴ６からＯＮＵ２−１〜２−２への下り信号は、光カプラ７で分岐されて全てのＯＮＵ２−１〜２−２に到達する為、ＯＮＵ２−１〜２−２は、自分宛のＬＬＩＤ（Ｌｏｇｉｃａｌ  Ｌｉｎｋ  ＩＤ）若しくは全員宛のＬＬＩＤ（Ｂｒｏａｄｃａｓｔ  ＬＬＩＤ）を判断して受信し、他宛のＬＬＩＤの信号を廃棄する。
【００２０】
また、ＯＮＵ２−１〜２−２からＯＬＴ６への上り信号は、フレーム送信時間を複数ユーザで分割して共有する多重化方式のＴＤＭＡなので、各ＯＮＵ２−１〜２−２から送出されたフレームは光カプラ７で合波される為、各ＯＮＵ２−１〜２−２が送出する光信号の送信タイミングを制御しないと衝突が発生する。ここで、衝突を回避する為の方法として、ＯＬＴ６は送出のタイミングと送出する長さとを各ＯＮＵ２−１〜２−２に指示し、ＯＮＵ２−１〜２−２はその指示に従い送出することで衝突を回避している。
【００２１】
図３は、ＰＯＮ方式を採用した光アクセスネットワークの加入者宅内の光ケーブルの配線構成を示す構成図である。
【００２２】
図３において、加入者宅内の光ケーブルの配線構成は、通信事業者の光ケーブル３と接続する光ローゼット１、光加入者線終端装置（ＯＮＵ）２、光ローゼット１と光加入者線終端装置２とを接続する光コード４とを有する。
【００２３】
図３において、通信事業者の光ケーブル３は加入者宅に引き込まれて光ローゼット１に接続される。光ローゼット１は光コネクタ１４を有しており、又光加入者線終端装置（ＯＮＵ）２は光コネクタ２１を有している。光ローゼット１の光コネクタ１４と、光加入者線終端装置（ＯＮＵ）２の光コネクタ２１とに、光コード４の光コネクタ４１が差し込まれて、光ローゼット１と光加入者線終端装置（ＯＮＵ）２とが光コード４で接続される。
【００２４】
図１は、実施形態に係る光ローゼット１の内部構成を示す内部構成図である。図１において、この実施形態に係る光ローゼット１は、光遮断器１１、光遮断器制御回路部１２、光カプラ１３、光コネクタ１４を有する。
【００２５】
光コネクタ１４は、既存の光ローゼットが備える光コネクタを適用することができ、光コード４の光コネクタ４１と接続するものである。なお、この実施形態では、光コネクタ１４の数が１個の場合を例示するが、複数個の光コネクタ１４を有する場合であっても良い。
【００２６】
光カプラ１３は、光遮断器１１、光コネクタ１４、光遮断器制御回路部１２と接続しており、光ケーブル３から光遮断器１１を透過してきた通信光を光コネクタ１４に出力すると共に、光コネクタ１４からの通信光を２分岐して、光遮断器１１及び光遮断器制御回路部１２に信号光を出力するものである。なお、光ローゼット１が複数個の光コネクタ１４を有する場合、光カプラ１３は、光コネクタ１４側に複数のポートを持つものであっても良い。
【００２７】
光遮断器制御回路部１２は、光カプラ１３と光遮断器１１とに接続しており、光カプラ１３からの入力した信号光に基づいて、光遮断器１１の通信光の遮断を制御するものである。光遮断器制御回路部１２は、図１に示すように、Ｏ／Ｅ変換回路部１２１、ＯＮ／ＯＦＦ判定回路部１２２、ＯＦＦ状態引延し回路部１２３を有する。
【００２８】
Ｏ／Ｅ変換回路部１２１は、光カプラ１３の一方のポートからの信号光を電気信号に変換して、電気信号をＯＮ／ＯＦＦ判定回路部１２２に与えるものである。
【００２９】
ＯＮ／ＯＦＦ判定回路部１２２は、Ｏ／Ｅ変換回路部１２１からの信号（電気信号）の信号レベル値（例えば信号強度値）に基づいて光信号の状態を判定し、その判定結果を示すＯＮ状態／ＯＦＦ状態信号をＯＦＦ状態引延し回路部１２３に与えるものである。
【００３０】
ＯＦＦ状態引延し回路部１２３は、ＯＮ／ＯＦＦ判定回路部１２２からのＯＮ状態／ＯＦＦ状態信号に基づくＯＦＦ状態を一定時間引き延ばして、光遮断器１１に与えるものである。
【００３１】
光遮断器１１は、通信事業者の光ケーブル３と光カプラ１３とに接続しており、光遮断器制御回路部１２からの状態信号に応じて、通信光を透過したり又は遮断したりするものである。つまり、光遮断器１１は、光遮断器制御回路部１２からの状態信号がＯＦＦ状態のときには通信光を透過し、状態信号がＯＮ状態のときには通信光を遮断する。
【００３２】
光ケーブル３からの通信光は光遮断器１１を介して光カプラ１３に出力し、光コネクタ１４からの通信光は光カプラ１３の他方のポートを介して光遮断器１１に入力し、通信光は光遮断器１１を介して光ケーブル３に出力する。
【００３３】
（Ａ−２）実施形態の動作
次に、この実施形態に係る光ローゼット１における処理の動作を、図面を参照しながら説明する。
【００３４】
まず、光加入者線終端装置２からの通信光（送信信号光）は、光コード４を通じて光ローゼット１に入ってくる。光ローゼット１では、光コード４と接続する光コネクタ１４を通じて通信光（送信信号光）が入ってくる。
【００３５】
光ローゼット１において、光コネクタ１４を通じて入ってきた通信光は光カプラ１３により２分岐されて、一方の通信光は光遮断器１１に与えられ、他方の通信光は光遮断器制御回路部１２のＯ／Ｅ変換回路部１２１に与えられる。
【００３６】
Ｏ／Ｅ変換回路部１２１に入力した通信光は、Ｏ／Ｅ変換回路部１２１により電気信号に変換されて、この電気信号がＯＮ／ＯＦＦ判定回路部１２２に与えられる。
【００３７】
ＯＮ／ＯＦＦ判定回路部１２２では、通信光の状態を判定するための閾値を有している。ＯＮ／ＯＦＦ判定回路部１２２は、Ｏ／Ｅ変換回路部１２１からの電気信号の信号レベル値（電気信号レベル値）と閾値とを比較して、通信光の状態がＯＮ状態又はＯＦＦ状態のいずれであることを判定する。
【００３８】
ＯＦＦ状態引延し回路部１２３では、ＯＮ／ＯＦＦ判定回路部１２２からの状態信号が入力される。
【００３９】
図４は、実施形態のＯＮ／ＯＦＦ判定回路部１２２による光信号の状態を判定する方法を説明する説明図である。
【００４０】
ここで、ＯＮ／ＯＦＦ判定回路部１２２が有する閾値は、信号光を電気信号に変換した場合に、安定した信号光を判定することができる値である。例えば信号光の状態を“１レベル”、“０レベル”、“ＯＦＦレベル”としたときに、閾値は、信号光の“０レベル”と“ＯＦＦレベル”との間に相当する信号レベル値（電気信号レベル値）とする。
【００４１】
図４（Ａ）に示す通り、光加入者線終端装置２からの通信光である場合、通信光は所定のバースト幅の信号光となる。従って、ＯＮ／ＯＦＦ判定回路部１２２から出力されるＯＮ状態／ＯＦＦ状態信号は、電気信号の信号レベル値が閾値を超えた時点でＯＦＦ状態（Ｌレベル）からＯＮ状態（Ｈレベル）となり、ハースト幅の期間でＯＮ状態（Ｈレベル）となり、バースト幅の期間経過後に信号レベル値が閾値以下となると、ＯＦＦ状態（Ｌレベル）となる。
【００４２】
ＯＦＦ状態引延し回路部１２３は、ＯＮ／ＯＦＦ判定回路部１２３からのＯＮ状態／ＯＦＦ状態信号が入力されると、ＯＦＦ状態の期間を所定時間引き延ばすものである。
【００４３】
ここで、ＯＦＦ状態の期間を引き延ばす時間は、ＰＯＮ−ＯＮＵである光加入者線終端装置２が送信する通信光のバースト幅期間を超える期間とすることができる。これは、後述するように光遮断器１１が通信光を遮断せずに透過できるようにするためである。そのため、引き延ばす時間は、バースト幅時間の最大値以上とするようにしてもよい。
【００４４】
図５は、実施形態のＯＦＦ状態引延し回路部１２３によるＯＦＦ状態の引延しを説明する説明図である。図５（Ａ）は、ＯＦＦ状態引延し回路部１２３に入力されるＯＮ状態／ＯＦＦ状態信号を示しており、図５（Ｂ）は、ＯＦＦ状態引延し回路部１２３が出力する信号を示している。
【００４５】
図５（Ａ）に示すように、ＯＮ状態／ＯＦＦ状態信号がＯＦＦ状態（Ｌレベル）からＯＮ状態（Ｈレベル）となる時点で、ＯＦＦ状態引延し回路部１２３は、所定時間（例えば１秒程度）だけＯＦＦ状態の期間を引き延ばす。そうすると、図５（Ｂ）に示すように、ＯＦＦ状態引延し回路部１２３が出力する状態信号は、入力した状態信号に対してＯＮ状態（Ｈレベル）の期間をＯＦＦ状態として出力することになる。
【００４６】
光遮断器１１では、ＯＦＦ状態引延し回路部１２３からＯＮ状態／ＯＦＦ状態の状態信号がＯＮ状態のときには通信光の導通を遮断し、ＯＦＦ状態のときには通信光の導通を透過する。
【００４７】
従って、光コード４が正しく光加入者線終端装置２に接続された場合、光加入者線終端装置２から通信光（送信信号）が送信されるときには、ＯＦＦ状態引延し回路部１２３によりＯＦＦ状態の期間が引き延ばされて、ＯＦＦ状態の状態信号が光遮断器１１に入力される。そのため、この場合、光遮断器１１は通信光の導通を透過することができ、通信光が光ケーブル３に与えられる。
【００４８】
一方、光コード４が誤ってメディアコンバータ５に接続された場合を説明する。この場合、図４（Ａ）に示すように、メディアコンバータ５からは連続信号光が出力される。
【００４９】
この場合、ＯＮ／ＯＦＦ判定回路部１２２は、電気信号の信号レベル値が閾値を超えた時点でＯＮ状態（Ｈレベル）が維持された状態信号を出力することになる。ＯＮ状態の状態信号がＯＦＦ状態引延し回路部１２３に与えられるため、ＯＦＦ状態引延し回路部１２３はＯＮ状態の状態信号を光遮断器１１に出力するため、光遮断器１１は連続信号光を遮断する。その結果、光アクセスネットワーク１０における通信光と連続信号光との信号衝突による伝送障害を防止することができる。
【００５０】
（Ａ−３）実施形態の効果
以上のように、この実施形態によれば、信号光の状態に応じて、信号呼の導通を遮断する仕組みを設けたので、誤ってメディアコンバータに接続された場合でも、光アクセスネットワークにおける信号衝突による伝送障害を防止することができる。
【００５１】
（Ｂ）他の実施形態
上述した実施形態においても種々の変形実施形態を言及したが、本発明は以下の変形実施形態にも適用することができる。
【００５２】
上述した実施形態では、加入者宅内の光ローゼットに「光遮断器制御回路」と「光遮断器」を実装する例を説明した。しかし、図２に示す光アクセスネットワーク１０の光カプラ７の光加入者線終端装置側ポートに、「光遮断器制御回路」と「光遮断器」を実装するようにしても良い。
【００５３】
上述した実施形態では、ＰＯＮ方式を採用した光アクセスネットワークに適用した。ＰＯＮ方式を採用した光アクセスネットワークは、例えば、Ｂ−ＰＯＮ方式、ＧＥ−ＰＯＮ方式、Ｇ−ＰＯＮ方式等を採用したものを広く適用することができる。
【符号の説明】
【００５４】
１０…光通信ネットワーク、１…光ローゼット、１１…光遮断器、１２…光遮断器制御回路部、１２１…Ｏ／Ｅ変換回路部、１２２…ＯＮ／ＯＦＦ判定回路部、１２３…ＯＦＦ状態引延し回路部、１３…光カプラ、１４…光コネクタ、２…光加入者線終端装置、７…光カプラ。
【図１】
2015177538.tif 000003
【図２】
2015177538.tif 000004
【図３】
2015177538.tif 000005
【図４】
2015177538.tif 000006
【図５】
2015177538.tif 000007